(57)【特許請求の範囲】
【請求項１】
開口部を有した断熱箱体と、この断熱箱体に前記開口部を開閉するように設けられた第１及び第２の扉と、前記第１及び第２の扉の内周縁に装着されたガスケットと、前記第１の扉に回動自在に取り付けられ前記第１及び第２の扉を閉じた時前記ガスケットが当接する仕切体とを有し、前記仕切体内部と前記ガスケットの内部とに、互いに極性の異なる磁性体を相対させて配置し、前記仕切体は、前記ガスケットの当接面となる前面板を熱伝導性の低い材料にて形成し、前記前面板に嵌合される後面板を金属製で形成するとともに前記前面板を前記後面板より外側に配置し、前記前面板の、前記磁性体の取り付け部に位置決め用の薄肉の凹陥溝を設けたことを特徴とする冷蔵庫等の扉装置。
【請求項２】
開口部を有した断熱箱体と、この断熱箱体に前記開口部を開閉するように設けられた第１及び第２の扉と、前記第１及び第２の扉の内周縁に装着されたガスケットと、前記第１の扉に回動自在に取り付けられ前記第１及び第２の扉を閉じた時前記ガスケットが当接する仕切体とを有し、前記仕切体内部の前記ガスケット当接面側内部或いは、前記ガスケットの前記仕切体当接面側内部のどちらか一方に磁性体を設け、他方に金属体を設け、前記仕切体は、前記ガスケットの当接面となる前面板を熱伝導性の低い材料にて形成し、前記前面板に嵌合される後面板を金属製で形成するとともに前記前面板を前記後面板より外側に配置し、前記前面板の、前記磁性体の取り付け部に位置決め用の薄肉の凹陥溝を設けたことを特徴とする冷蔵庫等の扉装置。
【請求項３】
仕切体の内部に、発泡スチロ−ル等の断熱材を配すると共に、断熱材で磁性体或いは、金属体を固定することを特徴とする請求項１または請求項２のいずれかに記載の冷蔵庫等の扉装置。
【請求項４】
仕切体のガスケット当接面側内部に加熱体を熱伝導的に配したことを特徴とする請求項１から請求項３のいずれかに記載の冷蔵庫等の扉装置。
【請求項５】
前面板と後面板を嵌合して形成した筐体仕切体において、嵌合部間隙に、断熱テ−プを配したことを特徴とする請求項１から請求項４のいずれかに記載の冷蔵庫等の扉装置。
【請求項６】
前面板と後面板を嵌合して形成した筐体仕切体において、前記後面板に第１の扉開閉時、扉内板と当接する緩衝体を配したことを特徴とする請求項１から請求項５のいずれかに記載の冷蔵庫等の扉装置。
【発明の詳細な説明】
【０００１】
【発明の属する技術分野】
本発明は、断熱箱体の開口部を第１及び第２の扉により開閉する構成とすると共に、一方の扉に開閉動作に伴って回動する仕切体を設けた構成の冷蔵庫等の扉装置に関する。
【０００２】
【従来の技術】
従来、冷蔵庫等の扉装置の構造としては、例えば特開平４−２８８４７０号公報に示されるものがあり、以下図面を参照しながら説明する。
【０００３】
図５、図６において、断熱箱体１における開口部の前面に、夫々の一端側が支持された観音開き式の第１及び第２の扉２，３が設けられ、これら両扉の内面の周縁部には夫々ガスケット４が設けられている。そして、一方の第１の扉１の反支持側の内面には、上下方向に延びる柱状の仕切体５が支持ア−ム６を介して回動可能に支持され、この仕切体５の上下端部にはそれぞれ同一形状の円弧状のガイド溝７が形成されている。
【０００４】
また、断熱箱体１側開口部の上縁部の左右方向における中間部には、上記ガイド溝７に対して相対的に出入りするガイドピン８が設けられている上記構成のものの場合第１及び第２の扉２，３が共に閉鎖された状態では、ガイドピン８がガイド溝７に侵入して仕切体５が横向きの状態となっており、第１及び第２の扉２，３の各ガスケット４が開口部の周縁部及び仕切体５の金属製の前面板９に吸着して気密にシ−ルしている。
【０００５】
この状態から、第１の扉２を開放動作させると、ガイドピン８がガイド溝７に沿って相対的に摺動することに伴い、二点鎖線で示されているように仕切体５が、ガスケット４を離間しながら後ろ向きに回動され、ガイドピン８がガイド溝７から退出した状態となる。
【０００６】
また、開放状態の第１の扉２を閉する場合には、開放動作の時とは逆に、ガイド溝７の開口端がガイドピン８に勘合してガイドピン８がガイド溝７に沿って相対的に摺動することに伴い、仕切体５が横向きとなるように回動されて閉鎖状態となる。
【０００７】
【発明が解決しようとする課題】
しかしながら上記のような構成では、第１及び第２の扉２，３が閉鎖状態時、第１及び第２の扉２，３との間からガスケット４を介し、仕切体５と前記第１及び第２の扉２，３の扉内板との隙間、或いは仕切体５の金属製前面板９を介し、外気の熱が断熱箱体１に侵入し庫内温度が高くなり、冷蔵庫運転効率が悪くなることで電気代が高くなる。
【０００８】
熱伝導を少なくする為、仕切体５の金属製前面板９の内側折曲部を短くすると前面板９の強度が低下し、仕切体５の前面板９を組立時及びサ−ビス交換時に、変形等が起こるという課題があった。
【０００９】
本発明は上記課題に鑑みなされたもので、冷蔵庫運転冷却時、熱侵入が少なく、断熱効果が向上することで、消費電力量の低減ができ、また、仕切体の強度の低下を起こさず変形が無い冷蔵庫等の扉装置を提供するものである。
【００１０】
【課題を解決するための手段】
上記課題を解決するために、本発明の冷蔵庫等の扉装置は、開口部を有した断熱箱体と、この断熱箱体に前記開口部を開閉するように設けられた第１及び第２の扉と、前記第１及び第２の扉の内周縁に装着されたガスケットと、前記第１の扉に回動自在に取り付けられ前記第１及び第２の扉を閉じた時前記ガスケットが当接する仕切板とを有し、前記仕切体の前記ガスケットの当接面が、熱伝導性の低い材料にて形成するものであり、これによって冷蔵庫冷却運転時、仕切体より庫外からの熱が庫内へ伝わる熱伝導量が少なくなり、断熱効果が向上できるものである。
【００１１】
また、断面略コ字状の熱伝導性の低い前面板と筐体状に形成した仕切体を扉に回動自在に取り付けるもので、仕切体のガスケット当接面側内部とガスケットの仕切体当接面側内部に、互いに極性の異なる磁性体を相対させ配置するか、または、仕切体のガスケット当接面側内部或いは、ガスケットの仕切体当接面側内部のどちらか一方に磁性体を設け、他方に金属体を設けた構造とするものであり、これによって冷蔵庫冷却運転時、仕切体より庫外からの熱が庫内へ伝わる熱伝導量及び、ガスケットと仕切体との密着性を高めることにより熱侵入が少なくなり、断熱効果が向上できるものである。
【００１２】
【発明の実施の形態】
本発明の請求項１に記載の発明は、開口部を有した断熱箱体と、この断熱箱体に前記開口部を開閉するように設けられた第１及び第２の扉と、前記第１及び第２の扉の内周縁に装着されたガスケットと、前記第１の扉に回動自在に取り付けられ前記第１及び第２の扉を閉じた時前記ガスケットが当接する仕切体とを有し、前記仕切体内部と前記ガスケットの内部とに、互いに極性の異なる磁性体を相対させて配置し、前記仕切体は、前記ガスケットの当接面となる前面板を熱伝導性の低い材料にて形成し、前記前面板に嵌合される後面板を金属製で形成するとともに前記前面板を前記後面板より外側に配置し、前記前面板の、前記磁性体の取り付け部に位置決め用の薄肉の凹陥溝を設けたことにより、冷蔵庫冷却運転時、仕切体より庫外からの熱が庫内へ伝わる熱伝導量及び、熱侵入が少なくなり、断熱効果が向上する。また、仕切体の強度の低下を起こさず変形が無いうえに、庫内よりの低温度帯を前面板の表面まで伝えにくくすることで、前面板の表面温度が高くなり、前面板の結露防止を図るとともに、磁性体同志の吸着する磁力向上を図り、磁性体設置時の位置決めができるという作用を有する。
【００１３】
また、請求項２に記載の発明は、開口部を有した断熱箱体と、この断熱箱体に前記開口部を開閉するように設けられた第１及び第２の扉と、前記第１及び第２の扉の内周縁に装着されたガスケットと、前記第１の扉に回動自在に取り付けられ前記第１及び第２の扉を閉じた時前記ガスケットが当接する仕切体とを有し、前記仕切体内部の前記ガスケット当接面側内部或いは、前記ガスケットの前記仕切体当接面側内部のどちらか一方に磁性体を設け、他方に金属体を設け、前記仕切体は、前記ガスケットの当接面となる前面板を熱伝導性の低い材料にて形成し、前記前面板に嵌合される後面板を金属製で形成するとともに前記前面板を前記後面板より外側に配置し、前記前面板の、前記磁性体の取り付け部に位置決め用の薄肉の凹陥溝を設けたことにより、冷蔵庫冷却運転時、仕切体より庫外からの熱が庫内へ伝わる熱伝導量及び、熱侵入が少なくなり、断熱効果が向上する。また、仕切体の強度の低下を起こさず変形が無いうえに、庫内よりの低温度帯を前面板の表面まで伝えにくくすることで、前面板の表面温度が高くなり、前面板の結露防止を図るとともに、磁性体と金属体との吸着力向上を図り、磁性体或いは金属体設置時の位置決めができるという作用を有する。
【００１７】
請求項３に記載の発明は、仕切体の内部に、発泡スチロ−ル等の断熱材を配すると共に、断熱材で磁性体或いは、金属体を固定するものであり、冷蔵庫冷却運転時、断熱効果が向上すると共に、磁性体の前面板からの剥離による吸着不足を防止する作用を有する。
【００１８】
請求項４に記載の発明は、仕切体のガスケット当接面側内部に加熱体を熱伝導的に配したものであり、前面板を熱伝導性の低いもので、形成することで、発汗防止用の加熱体の容量が小さくてすみ、電気代が安くなるという作用を有する。
【００２１】
請求項５に記載の発明は、仕切体を前面板と後面板を嵌合する際、嵌合部間隙に断熱テ−プを配したものであり、前面板と後面板の嵌合部の隙間よりの冷気侵入等による、仕切体の断熱効果の低下を防止するという作用を有する。
【００２２】
請求項６に記載の発明は、仕切体の後面板に第１の扉開閉時、扉内板と当接する緩衝体を配したものであり、後面板と扉内板の当接による音を低減すると共に、仕切体の保護を行うという作用を有する。
【００２３】
【実施例】
以下、本発明の一実施例について、図１から図４を用いて説明する。
【００２４】
尚、従来と同一の構成については同一の番号を付し、その詳細な説明は省略する。
【００２５】
（実施例１）
１０は冷蔵庫本体であり、開口部を有した断熱箱体１１と、この断熱箱体１１に前記開口部を開閉するように設けられた、内側に扉内板１２を有した第１及び第２の扉１３、１４を設け、前記第１及び第２の扉１３、１４の内周縁に装着されたガスケット１５と、第１の扉１３の扉内面側に断面略コ字状の熱伝導性の低い前面板１６と、断面略コ字状の後面板１７を嵌合して筐体状に形成した仕切体１８を第１の扉１３に回動自在に取り付けるもので、前記仕切体１８のガスケット１５当接面側内部と前記ガスケット１５の仕切体１８当接面側内部に、互いに極性の異なる磁性体１９を相対させて配置するよう構成されている。仕切体１８の前面板１６を熱伝導性の低いものにすることで、仕切体１８より庫外からの熱が庫内へ伝わる熱伝導量が少なくなり、且つ、仕切体１８のガスケット１５当接面側内部とガスケット１５の仕切体１８当接面側内部に、互いに極性の異なる磁性体１９を相対させることで、ガスケット１５のシ−ル性を向上させ熱侵入が少なくなる。よって、断熱効果が向上し消費電力量の低減を図ることができる。
【００２６】
開口部を有した断熱箱体１１と、この断熱箱体１１に前記開口部を開閉するように設けられた、内側に扉内板１２を有した第１及び第２の扉１３，１４を設け、前記第１及び第２の扉１３、１４の内周面に装着されたガスケット１５と、第１の扉１３の扉内面側に断面略コ字状の熱伝導性の低い前面板１６と、断面略コ字状の後面板１７を嵌合して筐体状に形成した仕切体１８を第１の扉１３に回動自在に取り付けるもので、仕切体１８のガスケット１５当接面側内部、或いは、ガスケット１５の仕切体１８当接面側内部のどちらか一方に磁性体１９を設け、他方に金属体２０を設けた構成とする。仕切体１８の前面板１６を熱伝導性の低いものにすることで、仕切体１８より庫外からの熱が庫内へ伝わる熱伝導量が少なくなり、且つ、仕切体１８のガスケット１５当接面側内部或いは、ガスケット１５の仕切体１８当接面側内部のどちらか一方に磁性体１９を設け、他方に金属体２０を設けることで、ガスケット１５のシ−ル性を向上させ熱侵入が少なくなる。よって、断熱効果が向上し消費電力量の低減を図ることができる。
【００２７】
仕切体１８の前面板１６内部の、磁性体１９或いは、金属体２０取り付け部に薄肉の凹陥溝２１を設けることで、仕切体１８内部の磁性体１９或いは金属体２０と、ガスケット１５内部の金属体２０或いは、磁性体１９とが、吸着する磁力の向上を図ると共に磁性体１９或いは、金属体２０設置時の位置決めができるという作用を有する。
【００２８】
仕切体１８の内部に、発泡スチロ−ル等の断熱材２２を配すると共に、断熱材２２で磁性体１９或いは、金属体２０を固定するよう構成することで、冷蔵庫冷却運転時、断熱効果が向上すると共に、磁性体１９の前面板１６からの剥離による吸着不足を防止する作用を有する。
【００２９】
仕切体１８の前面板１６を熱伝導性の低いものにし、内部ガスケット１５当接面側内部に加熱体２３を熱伝導的に配するよう構成することで、発汗防止用の加熱体２３の容量が小さくてすみ、消費電力量の低減を図ることができという作用を有する。
【００３０】
仕切体１８の後面板１７を金属製とすることで、仕切体１８の強度の低下を起こさず変形が無いという作用を有する。
【００３１】
前面板１６と後面板１７を嵌合して形成した筐体仕切体１８に於いて、熱伝導性の低い前面板１６が熱伝導性の高い後面板１７より外側にくる様にする構成とすることで、庫内よりの低温度帯を前面板１６の表面まで伝えにくくなり前面板の表面温度が高くなる。よって、前面板の結露防止を図るという作用を有する。
【００３２】
前面板１６と後面板１７を嵌合して形成した筐体仕切体１８に於いて、嵌合部間隙に、断熱テ−プ２５を配した構成とすることで、前面板１６と後面板１７の隙間よりの冷気侵入等による、仕切体１８の断熱効果の低下を防止するという作用を有する。
【００３３】
前面板１６と後面板１７を嵌合して形成した筐体仕切体１８に於いて、前記後面板１７に第１の扉１３開閉時、扉内板１２と当接する緩衝体２６を配した構成とすることで、後面板１７と扉内板１２の当接による音を低減すると共に仕切体１８の保護を行うという作用を有する。
【００３４】
【発明の効果】
以上のように本発明の冷蔵庫等の扉装置は、開口部を有した断熱箱体と、この断熱箱体に前記開口部を開閉するように設けられた第１及び第２の扉と、前記第１及び第２の扉の内周縁に装着されたガスケットと、前記第１の扉に回動自在に取り付けられ前記第１及び第２の扉を閉じた時前記ガスケットが当接する仕切板とを有し、前記仕切体の前記ガスケットの当接面が、熱伝導性の低い材料にて形成することにより、冷蔵庫冷却運転時、仕切体より庫外からの熱が庫内へ伝わる熱伝導量が少なくなり、断熱効果が向上できる。
【００３５】
また、仕切体内部とガスケット内部とに、互いに極性の異なる磁性体を相対させて配置することにより、冷蔵庫冷却運転時、仕切体より庫外からの熱が庫内へ伝わる熱伝導量及び、ガスケットと仕切体との密着性を高めることにより熱侵入が少なくなり、断熱効果が向上できるものである。
【００３６】
また、上記した構成に仕切体の前面板を熱伝導性の低いものにし、且つ仕切体のガスケット当接面側内部とガスケットの仕切体当接面側内部に、互いに極性の異なる磁性体を相対させることによって、ガスケットのシ−ル性を向上させ、冷蔵庫冷却運転時熱侵入が少なく断熱効果が向上し消費電力量の低減を図ることができる冷蔵庫等の扉装置を提供するものである。
【００３７】
また、仕切体の前面板を熱伝導性の低いものにし、且つ仕切体のガスケット当接面側内部或いは、ガスケットの仕切体当接面側内部のどちらか一方に磁性体を設け、他方に金属体を設けることによって、ガスケットのシ−ル性を向上させ、冷蔵庫冷却運転時熱侵入が少なく断熱効果が向上し消費電力量の低減を図ることができる冷蔵庫等の扉装置を提供するものである。
【００３８】
また、仕切体の前面板の、磁性体或いは、金属体取り付け部に薄肉の凹陥溝を設けることによって、仕切体内部の磁性体或いは金属体と、ガスケット内部の金属体或いは、磁性体とが、吸着する磁力の向上を図ると共に、磁性体或いは、金属体設置時の位置決めができる、冷蔵庫等の扉装置を提供するものである。
【００３９】
また、仕切体の内部に、発泡スチロ−ル等の断熱材を配すると共に、断熱材で磁性体或いは、金属体を固定することによって、冷庫冷却運転時、断熱効果が向上すると共に、磁性体の前面板からの剥離による吸着不足を防止することができる、冷蔵庫等の扉装置を提供するものである。
【００４０】
また、仕切体のガスケット当接面側内部に加熱体を熱伝導的に配することによって、発汗防止用の加熱体の容量が小さくてすみ、消費電力量の低減を図ることができる、冷蔵庫等の扉装置を提供するものである。
【００４１】
また、仕切体の後面板を金属製とすることによって、仕切体の強度の低下を起こさず変形が無い冷蔵庫等の扉装置を提供するものである。
【００４２】
また、前面板と後面板を嵌合して筐体状に形成した仕切体に於いて、熱伝導性の低い前面板が金属製の後面板より外側にくる様にすることによって、庫内よりの低温度帯を前面板の表面まで伝えにくくなり、前面板の表面温度が高くなる。よって、前面板の結露防止を図ことができる、冷蔵庫等の扉装置を提供するものである。
【００４３】
また、前面板と後面板を嵌合して筐体状に形成した仕切体に於いて、嵌合部間隙に断熱テ−プを配することによって、前面板と後面板の隙間よりの冷気侵入等による、仕切体の断熱効果の低下を防止することができる、冷蔵庫等の扉装置を提供するものである。
【００４４】
また、前面板と後面板を嵌合して筐体状に形成した仕切体に於いて、前記後面板に第１の扉開閉時、扉内板と当接する緩衝体を配することによって、後面板と扉内板の当接による音を低減すると共に仕切体の保護を行うことができる、冷蔵庫等の扉装置を提供するものである。
【図面の簡単な説明】
【図１】本発明の実施例１の要部横断面図
【図２】本発明の実施例１の部分分解縦断面図
【図３】本発明の実施例１の部分縦断面図
【図４】本発明の実施例１の冷蔵庫の斜視図
【図５】従来例の要部横断面図
【図６】従来例の仕切本体の部分縦断面図
【符号の説明】
１１  断熱箱体
１２  扉内板
１３  第１の扉
１４  第２の扉
１５  ガスケット
１６  前面板
１７  後面板
１８  仕切本体
１９  磁性体
２０  金属体
２１  凹薄肉形状
２２  断熱材
２３  加熱体
２４  断熱テ−プ
２５  緩衝体
【図１】
0003652130.tif 000002
【図２】
0003652130.tif 000003
【図３】
0003652130.tif 000004
【図４】
0003652130.tif 000005
【図５】
0003652130.tif 000006
【図６】
0003652130.tif 000007